(57)【要約】【課題】ユーザビリティも考慮した省エネ性能の評価指標を提供する。【解決手段】待ち時間（Ｘ軸）と消費電力（Ｙ軸）の図上における各機種のプロット点の原点からの距離を基本とする指標ＵＥを用い、各機種の性能を数値で表す。Ｘ軸の目盛倍率をＹ軸に対して、所定の値としてＵＥの精緻化を図る。【選択図】        図１
2007017859.tif 000002
【特許請求の範囲】
【請求項１】
電子写真方式の画像形成装置の所定性能を評価する省エネ性能評価方法であって、
前記画像形成装置の印刷開始指令から画像形成の開始又は終了までの時間Ａと、所定条件下での当該画像形成装置の消費電力Ｂを求め、
上記時間Ａと消費電力Ｂとに所定の演算処理を施すことにより、当該画像形成装置の所定性能の評価指数を算出することを特徴とする省エネ性能評価方法。
【請求項２】
下記の指標ＵＥ、
ＵＥ＝｛ｆ（Ａ）２＋Ｂ２｝１／２
（ｆ（Ａ）は、消費電力Ｂと時間Ａの関係より導かれるＡの関数である。）
を用いることを特徴とする請求項１に記載の省エネ性能評価方法。
【請求項３】
画像形成装置の省電力待機時からの復帰時間をＡ（秒）とし、省電力待機時の消費電力をＢ（Ｗ）としたとき、下記の指標ＵＥ、
ＵＥ＝｛（α＊Ａ）２＋Ｂ２｝１／２
（ここにαは評価対象の母集団における（Ｃ−Ｂ）／Ａの平均値：Ｃは通常
待機時の消費電力（Ｗ）とする。）
を用いることを特徴とする、請求項２に記載の省エネ性能評価方法。
【請求項４】
画像形成装置の省電力待機時からの復帰時間をＡ（秒）、通常待機時のファーストプリント時間をＤ（秒）とし、省電力待機時の消費電力をＢ（Ｗ）としたとき、下記の指標ＵＥ、
ＵＥ＝〔｛α＊（Ａ＋Ｄ）｝２＋Ｂ２〕１／２
（ここにαは評価対象の母集団における（Ｃ−Ｂ）／Ａの平均値：Ｃは通常
待機時の消費電力（Ｗ）とする。）
を用いることを特徴とする、請求項２に記載の省エネ性能評価方法。
【請求項５】
画像形成装置の電源オン時のウェイト時間をＥ（秒）とし、通常待機時の消費電力をＣ（Ｗ）としたとき、以下の指標ＵＥ、
ＵＥ＝｛（β＊Ｅ）２＋Ｃ２｝１／２
（ここにβは評価対象の母集団におけるＣ／Ｅの平均値とする。）
を用いることを特徴とする、請求項２に記載の省エネ性能評価方法。
【請求項６】
画像形成装置のエネルギー消費効率算定試験における１時間当たりの１ジョブに要する時間をＦ（秒）とし、エネルギー消費効率をＧ（Ｗｈ／ｈ）としたとき、下記の指標ＵＥ、
ＵＥ＝｛（γ＊Ｆ）２＋Ｇ２｝１／２
（ここにγは評価対象の母集団におけるＧ／Ｆの平均値とする。）
を用いることを特徴とする、請求項２に記載の省エネ性能評価方法。
【発明の詳細な説明】
【技術分野】
【０００１】
本発明は、電子写真技術を応用した画像形成装置の省エネ性能評価方法に関するものである。
【背景技術】
【０００２】
従来、電子写真技術を応用した画像形成装置では、待機時のエネルギー消費を抑制するために省電力モードを有するのが一般的である。これは、国際エネルギースタープログラムに代表されるエコマーク付与基準に、待機時の消費電力値を一定以下とする低電力モードが求められることにも依る。
【０００３】
待機時の消費電力を構成する要素としては、特に定着器の予熱通電に用いられるものが大きいが、印刷開始指令に即応できるようにコントローラへの通電が行われているものや、機内の過昇温を防ぐためのファン回転に使われるもの等がある。
【０００４】
省電力モード時には、定着器の消費電力はスタンバイモード時よりも抑制されるので、省電力モードにおいて印刷指令が出された場合、スタンバイモードになるまでの待ち時間（＝リカバリ時間）を要する。
【０００５】
国際エネルギースタープログラムでは、複写機／複合機の一部においてリカバリ時間が３０秒以下であることが課せられているけれども、２０枚／分以下の複写機／複合機のリカバリ時間は「問わない」とされ、プリンタに関してはリカバリ時間の規定がない、という現状である。
【０００６】
省エネの観点からは、省電力モード時の定着器の通電はオフするのが良いけれども、例えば、ウォームアップに長時間を要する定着器の場合、長いリカバリ時間を要すことになり、ユーザの利便性（＝ユーザビリティ）が損なわれる問題がある。
【０００７】
これは、省エネ規制がエネルギー（消費電力）削減一辺倒となっており、ユーザビリティへの配慮が十分になされていなかった為である。
【０００８】
図２に、省電力モード時の消費電力とリカバリ時間の関係を２つの異なる画像形成装置について示した。実線は画像形成装置１、破線は画像形成装置２のデータである。同一の消費電力で比較すれば、画像形成装置１の方がリカバリ時間は短く、同一のリカバリ時間で比較すれば画像形成装置１の方が消費電力は少なく、省エネの観点でもユーザビリティの観点でも画像形成装置１の方が画像形成装置２よりも優れていることは明らかである。
【０００９】
実際の画像形成装置としては、それぞれの線上のいずれかの点に相当するリカバリ時間と消費電力がデフォルト設定となり、例えば画像形成装置１は点［１］、画像形成装置２は点［２］の設定となる。この場合、両機種ともに消費電力は同じと表示され、リカバリ時間の差はユーザに判らないという問題があった。
【特許文献１】特開平１１−７３４３号公報
【特許文献２】特開２００２−６２７０９号公報
【非特許文献１】国際エネルギースタープログラム（財団法人／省エネルギーセンター発行）、日本画像学会誌  第４３号  第６号  ４６頁  「カラーＩＨ定着方式の開発」  Ｆｉｇ１
【発明の開示】
【発明が解決しようとする課題】
【００１０】
以上説明したように、従来、省エネの観点とユーザビリティの観点は別々に評価されており、いずれか一方の観点からの評価では、図２に示されるようなユーザビリティも考慮した省エネ性能の総合的評価は困難であった。従って、ユーザビリティも考慮した省エネ性能を表す指標により、相互の機種の性能比較が出来るようにすることが本発明の課題である。
【００１１】
尚、本発明の記述中、各種の待ち時間と待機モードについての用語はＪＥＩＴＡ（社団法人  電子情報技術産業協会）発行の「プリンタカタログ用語集」（平成１６年３月改定）により、以下の用語／定義を用いる。
【００１２】
「リカバリ時間」−−省電力モードで印刷指令が出た時点から、装置がスタンバイモードになるまでの時間。印刷指令からプリントアウトが完了するまでの時間ＴｆＢとスタンバイ時のファーストプリント時間Ｔｆの差（ＴｆＢ−Ｔｆ）として求められる。同義語として、「復帰時間」「再スタート時間」「ウォームアップ時間」等がある。
【００１３】
「ウェイト時間」−−室温に馴染んだ状態から電源オンした時点から、装置がスタンバイモードになるまでの時間。電源オンと同時に印刷指令を出した時点からプリントアウトが完了するまでの時間ＴｆＡとスタンバイ時のファーストプリント時間Ｔｆの差（ＴｆＡ−Ｔｆ）として求められる。同義語として「ウォームアップ時間」がある。
【００１４】
「ファーストプリント時間」−−第１枚目のデータを受信開始してから印刷を終え、用紙を機外に排出完了させるまでに必要な時間。通常、製品カタログに記載されているのは、スタンバイモードにおけるファーストプリント時間であるが、省電力モードや電源オン時のファーストプリント時間も定義できる。
【００１５】
「省電力モード」−−スタンバイモードよりも電力を低く抑えた省エネルギーモード。同義語として「スリープモード」「パワーセーブモード」「節電モード」「予熱モード」「省エネモード」「低電力モード」等がある。
【００１６】
「スタンバイモード」−−装置が印刷データを受信してから最小の待ち時間（通例０秒）で、画像形成工程を開始出来る状態。同義語として「通常待機モード」がある。
【００１７】
「エネルギー消費効率」−−所定枚数の複写を繰り返した時に消費される単位時間平均エネルギー（Ｗｈ／ｈ）を示すもの。通商産業省告示代１９３号（１９９１年３月３１日付け）で複写機に関して規定されている。以下の実施例４では、これに準拠してプリンタに適用した例を示す。
【課題を解決するための手段】
【００１８】
１．画像形成装置への印刷指令開始から画像形成開始または終了までの時間をＡ、該画像形成装置の所定条件下の消費電力をＢとして、以下の指標ＵＥを用いる。
ＵＥ＝〔｛ｆ（Ａ）２＋Ｂ２｝１／２    ：  ｆ（Ａ）は、消費電力と待ち時間の関係を表す式である。
【００１９】
以下、各印刷モードにおける待ち時間と消費電力に関する具体例を記す。
【００２０】
１．１．画像形成装置の省電力モード時からのリカバリ時間をＡ（秒）とし、省電力モード時の消費電力をＢ（Ｗ）としたとき、以下の指標ＵＥを用いる。
ＵＥ＝｛（α＊Ａ）２＋Ｂ２｝１／２
ここにαは評価対象の母集団における（Ｃ−Ｂ）／Ａの平均値：Ｃは通常待機時の消費電力（Ｗ）とする。
【００２１】
１．２．画像形成装置の省電力モード時からのリカバリ時間をＡ（秒）、通常待機時のファーストプリント時間をＤ（秒）とし、省電力モード時の消費電力をＢ（Ｗ）としたとき、以下の指標ＵＥを用いる。
ＵＥ＝〔｛α＊（Ａ＋Ｄ）｝２＋Ｂ２〕１／２
ここにαは評価対象の母集団における（Ｃ−Ｂ）／Ａの平均値：Ｃは通常待機時の消費電力（Ｗ）とする。
【００２２】
１．３．画像形成装置の電源オン時のウェイト時間をＥ（秒）とし、スタンバイ時の消費電力をＣ（Ｗ）としたとき、以下の指標ＵＥを用いる。
ＵＥ＝｛（β＊Ｅ）２＋Ｃ２｝１／２    ここにβは評価対象母集団におけるＣ／Ｅの平均値とする。
【００２３】
１．４．画像形成装置のエネルギー消費効率測定における１ジョブに要する時間をＦ（秒）とし、エネルギー消費効率をＧ（Ｗｈ／ｈ）としたとき、以下の指標ＵＥを用いる。
ＵＥ＝｛（γ＊Ｆ）２＋Ｇ２｝１／２    ここにγは、評価対象の母集団におけるＧ／Ｆの平均値とする。
【００２４】
なお、さらに説明すれば、前記課題を解決するため、本発明の第一の発明について下記のように示す。
【００２５】
（１）電子写真方式の画像形成装置の所定性能を評価する省エネ性能評価方法であって、
前記画像形成装置の印刷開始指令から画像形成の開始又は終了までの時間Ａと、所定条件下での当該画像形成装置の消費電力Ｂを求め、
上記時間Ａと消費電力Ｂとに所定の演算処理を施すことにより、当該画像形成装置の所定性能の評価指数を算出することを特徴とする省エネ性能評価方法。
【発明の効果】
【００２６】
以上説明したように、本発明によれば、ユーザビリティを考慮した省エネ性能が１つの指標値として提供されるので、ユーザにとっては、機種比較において利便性のよい省エネ製品の選定が可能となる。又、製品設計上、この指標値を参照することで、ユーザビリティも考慮した省エネ設計の最適化が図れる。
【発明を実施するための最良の形態】
【００２７】
図２のように、問題とされる機種（複数）の点を図上に表示し、言わばパターン認識により、相互の優劣関係を大まかに知ることは出来るが、本発明の目的は、各点に対応した指標値を算出することにより、相互の優劣関係を正確に把握できるようにすることである。以下、指標値を表す記号としてＵＥ（＝Ｕｓｅｒ−ｆｒｉｅｎｄｌｙ  Ｅｎｅｒｇｙ−ｓａｖｉｎｇ）を用いる。
【００２８】
図２を見れば、プロットされた点が原点に近いほど待ち時間が少なく、ユーザの利便性（以下、ユーザビリティ）に優れており、同時に消費電力が少なく省エネに優れているのは明らかである。そこで、図上にプロットされた点の原点からの距離をＵＥとすることが最初に考えられる。つまり、復帰時間をＡ（秒）とし、省電力待機時の消費電力をＢ（Ｗ）として、以下を指標値とするものである。
ＵＥ＝（Ａ２＋Ｂ２）１／２    −−−    式（１）
【００２９】
この式（１）では、原点からの距離が大きく異なる２点を指標値として区別することが出来る。つまり、図２における点［１］（Ａ１、Ｂ１）は、点［２］（Ａ２、Ｂ１）よりも原点から遠く、ＵＥ［１］＜ＵＥ［２］となり点［１］の機種の方が優れていることが数値的に明示される。しかし、例えば、点（１０、５０）と点（５０、１０）のように図２上では原点から同じ距離にある機種は、式（１）では同性能と判定されるが、これは正しいであろうか。
【００３０】
本発明では、式（１）を基本骨格として、図２のＸ軸（時間軸）とＹ軸（電力軸）の尺度を適正化することにより、式（１）の精緻化を図る。これを一般式として表すと以下のようになる。
ＵＥ＝｛ｆ（Ａ）２＋Ｂ２｝１／２    −−−    式（２）：  ｆ（Ａ）は、消費電力と待ち時間の関係から導かれるＡの関数である。
以下、各モードに沿って式（２）の具体例を挙げて説明する。
【実施例１】
【００３１】
図１は、本発明の第一実施例を説明する図である。Ｘ軸はリカバリ時間（図中、ＲＣＴと表記する。）、Ｙ軸は省電力モード時消費電力（図中、ＳｌｅｅｐＷと表記する。）で、それぞれ秒とＷを単位とする。画像形成装置１に対応するプロット点（５０秒、１０Ｗ）を［１］、画像形成装置２に対応するプロット点（１０秒、５０Ｗ）を［２］とする。
【００３２】
図３は、Ｘ軸とＹ軸を同じ尺度として描いた図であり、ここでは１秒と１Ｗは同じスケールとされているので、上述したとおり、［１］と［２］の原点からの距離は式（１）により、ともにＵＥ＝（５０２＋１０２）１／２＝５１となる。
【００３３】
図１では、Ｘ軸の単位目盛はＹ軸の単位目盛の２倍とされているので、図上での原点からの距離は、各点について以下のようになる。
［１］  ：  ＵＥ＝｛（２×５０）２＋１０２｝１／２＝１００
［２］  ：  ＵＥ＝｛（２×１０）２＋５０２｝１／２＝５４
【００３４】
このように、図３では等価とされた画像形成装置１と画像形成装置２のＵＥ値には２倍程度の開きがあり、利便性も考慮した省エネ性能としては画像形成装置２の方が勝っていると評価される。
【００３５】
ここで問題となるのは、Ｘ軸とＹ軸の目盛の倍率αをどのように設定するかである。図１の例では、α＝２（Ｗ／秒）であり、１秒は２Ｗに相当するという設定であるが、これは以下のように求めたものである。
【００３６】
図２において、プロット点［１］は画像形成装置１の省電力モード時の（ＲＣＴ、ＳｌｅｅｐＷ）を示すものである。これに対して、プロット点［１］’は画像形成装置１のスタンバイ時の動作点を示すもので、便宜的に、スタンバイ時の動作点［１］’の座標を（０、ＳｔｂｙＷ）とする。つまり、スタンバイ時には待ち時間は０秒であるが、その際の消費電力ＳｔｂｙＷはＳｌｅｅｐＷよりは大きくなる。
【００３７】
そこで、［１］と［１］’を比較すると、待ち時間ＲＣＴ（秒）を０（秒）とするために、余剰電力ΔＷ＝ＳｔｂｙＷ−ＳｌｅｅｐＷが投入されていることが判る。ＲＣＴ→０のためにΔＷを使うことが正当化されると見て、これより上の倍率αを以下のとおり定義する。
α＝ΔＷ／ＲＣＴ
αの値は、どのような定着器やコントローラが搭載されているかにより機種毎のばらつきがある。図１には説明の便宜上、α＝２の例を示したが、多数の機種の比較を行う場合には、各機種のαの平均値を採用するのが良い。
【００３８】
実際の例として、ＪＥＩＴＡの２００４年新製品調査で収集された電子写真製品８０機種のＲＣＴとＳｌｅｅｐＷのプロットを図４−１（全体８０機種）、図４−２（部分７２機種）に示す。又、各機種のαを表１に示す。これより８０機種のα平均値＝５（Ｗ／秒）が得られ、ユーザビリティも考慮した省エネ指標ＵＥの算定式（３）が求まる。
ＵＥ＝｛（５×Ａ）２＋Ｂ２｝１／２    −−−    式（３）
表２には、式（３）により算定された各機種のＵＥ値を示す。
【００３９】
［表１］
２００４年ＪＥＩＴＡ新製品調査を母集団とした、係数αの計算例
2007017859.tif 000003
【００４０】
［表２］
２００４年ＪＥＩＴＡ新製品調査を母集団とした、リカバリ時間と
省電力モード時消費電力に基づく指標ＵＥの計算例
2007017859.tif 000004
【００４１】
以上説明したように、各機種の図４−１或いは図４−２における分布を見て、個々の機種の優劣を知るのは困難であるが、それぞれの機種に対応する指標ＵＥを算定することで、ユーザビリティも考慮した各機種の性能比較が簡単に行える利点がある。又、図２に示すように１つの機種の（ＲＣＴ、ＳｌｅｅｐＷ）をどのポイントとするかを設計時点で決める場合、指標ＵＥ値が最も小さくなる（ＲＣＴ、ＳｌｅｅｐＷ）の組合わせを選択すれば良く、最適設計が容易に行える利点もある。
【実施例２】
【００４２】
実施例１では、待ち時間として省電力モード時に印刷信号を受けた場合に、スタンバイ状態になるまでのリカバリ時間を採った。つまり、印刷信号を受けてから画像形成工程が開始される迄を問題としたが、本実施例では、省電力モード時に印刷信号を受けてから、１枚目のプリントが出力されるまで、つまり画像形成工程が終了するまでの時間を待ち時間と定義し、ユーザビリティを考慮した省エネ性能を評価する。つまり、スタンバイ時におけるファーストプリント時間ＴｆをＤ（秒）とすれば、省電力モード時のファーストプリント時間ＴｆＢは以下のように定義される。
ＴｆＢ＝Ｔｆ＋ＲＣＴ＝Ｄ＋Ａ（秒）
【００４３】
本実施例では、各機種の（ＴｆＢ、ＳｌｅｅｐＷ）について以下の指標ＵＥを算定する。
ＵＥ＝｛（α＊ＴｆＢ）２＋Ｂ２｝１／２＝〔｛α×（Ｄ＋Ａ）｝２＋Ｂ２〕１／２  −−−    式（４）
ここにαは、実施例１と同じく、Δ／ＲＣＴより算出される係数である。
【００４４】
図１に示した画像形成装置１及び画像形成装置２のスタンバイ時におけるファーストプリント時間Ｔｆがそれぞれ、１０秒、２０秒であるとした場合、本実施例の式（４）による指標ＵＥは、それぞれの装置について以下のように算出される。
［１］  〔｛２×（１０＋５０）｝２＋１０２〕１／２＝１２０
［２］  〔｛２×（２０＋１０）｝２＋５０２〕１／２＝７８
【００４５】
図５には、Ｘ軸をＴｆＢ、Ｙ軸をＳｌｅｅｐＷとして、上の［１］と［２］の関係を示した。図１に比べて、ファーストプリント時間Ｔｆが評価された分、［１］と［２］の差は縮まっていることが判る。
【００４６】
表３には、ＪＥＩＴＡの２００４年新製品調査で収集された電子写真製品○○機種の（ＴｆＢ、ＳｌｅｅｐＷ）をもとに式（５）により、ユーザビリティを考慮した省エネ指標ＵＥの計算結果を示す。
ＵＥ＝〔｛５×（Ｄ＋Ａ）｝２＋Ｂ２〕１／２    −−−    式（５）
【００４７】
［表３］
２００４年ＪＥＩＴＡ新製品調査を母集団とした、省電力モードから
のファーストプリント時間と省電力モード時消費電力に基づく指標ＵＥ
の計算例
2007017859.tif 000005
【実施例３】
【００４８】
実施例１と実施例２では、省電力モード時に印刷信号が出された場合の待ち時間と消費電力からユーザビリティを考慮した省エネ指標ＵＥを算定した。本実施例では、画像形成装置の電源オン時にスタンバイとなるまでのウェイト時間Ｅ（秒）を待ち時間とし、スタンバイ時の消費電力Ｃ（Ｗ）より以下の式（６）により、ユーザビリティを考慮した省エネ指標ＵＥを算定する。
ＵＥ＝｛（β×Ｅ）２＋Ｃ２｝１／２  −−−  式（６）    ここに、βは評価対象の母集団のＣ／Ｅの平均値とする。
【００４９】
画像形成装置が室温に馴染んでいる状態で、電源をオンする場合にはウェイト時間としてＥ（秒）待たねばならない。この待ち時間を嫌って、スタンバイ時の消費電力Ｃ（Ｗ）を投入することで、印刷指令が出ればすぐに画像形成工程が開始できるように図られている。つまり、Ｅ（秒）をキャンセルするのに、Ｃ（Ｗ）を使うことを良しとされており、これから時間と電力の係数β＝Ｃ／Ｅが定義される。
【００５０】
具体例として、画像形成装置３と画像形成装置４のウェイト時間とスタンバイ時消費電力の組合わせが、それぞれ（３０秒、３００Ｗ）、（８０秒、１００Ｗ）である場合を、図６にＸ軸／Ｙ軸を等倍の尺度で示した。図上、ウェイト時間をＷＵＴ、スタンバイ消費電力をＳｔｂｙＷと表記する。β＝５を用いた場合には以下の式（７）により、それぞれのＵＥ値が求められる。
ＵＥ＝｛（５×Ｅ）２＋Ｃ２｝１／２  −−−  式（７）
［３］  ：  ＵＥ＝｛（５×３０）２＋３００２｝１／２＝３３５
［４］  ：  ＵＥ＝｛（５×８０）２＋１００２｝１／２＝４１２
【００５１】
このケースでは、消費電力のみに着目すると［４］の方が省エネであるけれども、ウェイト時間が長い分、ユーザビリティも考慮すると［３］の方が優れているとの評価になる。
【００５２】
表４には、ＪＥＩＴＡの２００４年新製品調査で収集された電子写真製品○○機種の（ＷＵＴ、ＳｔｂｙＷ）をもとに算定したβ（総平均値：ａ）、表５には式（８）により、ユーザビリティを考慮した省エネ指標ＵＥの計算結果を示す。
ＵＥ＝｛（ａ×Ｅ）２＋Ｃ２｝１／２    −−−    式（８）
【００５３】
［表４］
２００４年ＪＥＩＴＡ新製品調査を母集団とした、係数βの計算例
2007017859.tif 000006
【００５４】
［表５］
２００４年ＪＥＩＴＡ新製品調査を母集団とした、ウェイト時間と
スタンバイ時消費電力に基づく指標ＵＥの計算例
2007017859.tif 000007
【実施例４】
【００５５】
図７に、エネルギー消費効率の測定例を示す。Ｘ軸は、電源オンからの時間を示し、Ｙ軸は消費電力を示す。電源オンと同時に印刷指令が出され、所定枚数の連続印刷（１ジョブ）が行われた後、スタンバイモードを経て、省電力モードに入る。図示したのは最初の１時間分の電力プロファイルであり、この後、省電力モードからスタートして１時間毎に所定枚数の連続印刷（１ジョブ）を、都合７回繰り返し、トータル８時間の間に消費される総電力量（Ｗｈ）を測定し、１時間当たりの平均値を採り、エネルギー消費効率Ｇ（Ｗｈ／ｈ）とする。
【００５６】
図８には、Ｘ軸に印刷指令から１ジョブの連続印刷が終わるまでの平均時間Ｆ（秒）、Ｙ軸にエネルギー消費効率Ｇ（Ｗｈ／ｈ）を、画像形成装置５、及び画像形成装置６について（Ｆ、Ｇ）の値をプロットした。画像形成装置５については（１５０秒、５０Ｗｈ／ｈ）、画像形成装置６については（１００秒、１００Ｗｈ／ｈ）である。
【００５７】
この２つの画像形成装置のユーザビリティを考慮した省エネ指標ＵＥ値は、式（９）により、以下のように計算される。
ＵＥ＝｛（γ×Ｆ）２＋Ｇ２｝１／２    −−−    式（９）
γ＝Ｇ／Ｆであり、ここではγ＝２とする。
［５］  ：  ＵＥ＝｛（２×１５０）２＋５０２｝１／２＝３０４
［６］  ：  ＵＥ＝｛（２×１００）２＋１００２｝１／２＝２２４
【００５８】
つまり、この場合、［６］の方が［５］よりも原点からの距離は近くなり、ユーザビリティを考慮した省エネ性能が優れていると評価される。
【００５９】
上では、例示の目的でγ＝２としたが、実際に諸機種のデータを分析する場合には、γの値としては、評価対象となるデータの母集団における平均値を採用すれば良い。
【００６０】
以上、４つの実施例では、Ｘ軸とＹ軸の倍率換算は、それぞれに定義された係数α、β、γの対象母集団における平均値を採ったが、Ｘ軸（待ち時間）の目盛を一様の倍率で換算するのではなく、原点付近の領域では倍率を大きく（ｅｘ．１０）、原点から離れた（待ち時間の長い）領域では倍率を小さく（ｅｘ．２）とするなど、待ち時間に応じて非線形に変化する倍率の換算テーブルを作ることも考えられる。
【図面の簡単な説明】
【００６１】
【図１】本発明の第一実施例を説明するリカバリ時間（ＲＣＴ）と省電力モード時消費電力（ＳｌｅｅｐＷ）の関係図（ＲＣＴ軸の目盛倍率＝ＳｌｅｅｐＷ軸の２倍）
【図２】２つの画像形成装置におけるリカバリ時間（ＲＣＴ）と省電力モード時消費電力（ＳｌｅｅｐＷ）の軌跡を示す図
【図３】本発明の第一実施例を説明するリカバリ時間（ＲＣＴ）と省電力モード時消費電力（ＳｌｅｅｐＷ）の関係図（ＲＣＴ軸の目盛倍率＝ＳｌｅｅｐＷ軸の目盛倍率）
【図４−１】２００４年ＪＥＩＴＡ新製品調査における全８０機種のリカバリ時間（ＲＣＴ）と省電力モード時消費電力（ＳｌｅｅｐＷ）の分布図
【図４−２】２００４年ＪＥＩＴＡ新製品調査における部分７２機種のリカバリ時間（ＲＣＴ）と省電力モード時消費電力（ＳｌｅｅｐＷ）の分布図
【図５】本発明の第二実施例を説明する省電力モードからのファーストプリント時間（ＲＣＴ＋Ｔｆ）と省電力モード時消費電力（ＳｌｅｅｐＷ）の関係図
【図６】本発明の第三実施例を説明するウェイト時間（ＷＵＴ）とスタンバイ時消費電力（ＳｔｂｙＷ）の関係図
【図７】エネルギー消費効率の測定方法を説明する図
【図８】本発明の第四実施例を説明する１ジョブの時間とエネルギー消費効率の関係図
【符号の説明】
【００６２】
［１］    画像形成装置１のリカバリ時間と省電力モード時消費電力を示す点。
［２］    画像形成装置２のリカバリ時間と省電力モード時消費電力を示す点。
［３］    画像形成装置３のウェイト時間とスタンバイ時消費電力を示す点。
［４］    画像形成装置４のウェイト時間とスタンバイ時消費電力を示す点。
［５］    画像形成装置５の１ジョブ時間とエネルギー消費効率を示す点。
［６］    画像形成装置６の１ジョブ時間とエネルギー消費効率を示す点。
【図１】
2007017859.tif 000008
【図２】
2007017859.tif 000009
【図３】
2007017859.tif 000010
【図５】
2007017859.tif 000011
【図６】
2007017859.tif 000012
【図７】
2007017859.tif 000013
【図８】
2007017859.tif 000014
【図４−１】
2007017859.tif 000015
【図４−２】
2007017859.tif 000016